(57)【要約】【課題】少ない種類の材料をしかも少量使用して所定の耐火性能を実現し、コストダウンを図る。【解決手段】左右一対の縦枠2a、2bと、上枠３と下枠４と、中間の無目５とからなる枠体にガラスおよび腰壁材を嵌装してなるカーテンウォール構造において、一対の縦枠2a、2bの縦壁21の内面に垂直方向の複数列の内面リブ22を形成し、一対の縦枠2a、2bの縦壁21間に複数枚の不燃板７を挿入してカーテンウォールの耐火構造を実現する。【選択図】        図１
2004211310.tif 000002
【特許請求の範囲】
【請求項１】
左右一対の縦枠（2a、2b）と、上枠（３）と、下枠（４）と、これらの中間に配置される無目（５）とからなる枠体に、ガラス（11）および腰壁材（12）を嵌装してなるカーテンウォール構造において、前記左右一対の縦枠（2a、2b）の縦壁（21）の内面に垂直方向の複数列の係止手段を設け、この係止手段により左右一対の縦枠（2a、2b）の縦壁（21）間に複数枚の不燃板（７）を挿入したことを特徴とするカーテンウォールの耐火構造。
【請求項２】
前記係止手段が縦壁（21）の内面に形成したた１条ずつの内面リブ（22）であり、前記不燃板（７）の両側面にこれをはさむ側部溝（71）が形成されている請求項１に記載のカーテンウォールの耐火構造。
【請求項３】
前記係止手段が縦壁（21）の内面に形成したた１対の内面溝（23）であり、前記不燃板（７）が帯板状である請求項１に記載のカーテンウォールの耐火構造。
【発明の詳細な説明】
【０００１】
【発明の属する技術分野】
本発明は、ビルの外壁を構成するカーテンウォールの耐火構造に関する。
【０００２】
【従来の技術】
近年、各種ビルの外壁にはカーテンウォール工法がひろく採用されている。カーテンウォール工法は、四辺形状の枠体にガラスや腰壁用パネル等を組み付けたカーテンウォールを外壁とし、これを鉄骨や鉄筋コンクリートの躯体に取り付けてビルを構築するもので、原則としてカーテンウォール自身は躯体の重量を負担しないから、前記の枠体には軽量でかつ加工の容易なアルミニウム押し出し材がよく用いられる。
【０００３】
図３はカーテンウォールを示す正面図で、Ｘ状の一点鎖線で示す一つ一つのユニットＵ1 、Ｕ2 はガラスの嵌まった開口部1aと腰壁用パネル等を組み付けた腰部1bとで構成され、開口部1aが各階の窓部に、また腰部1bが各階の床ならびに腰壁の位置に対応している。2a、2bは各ユニット左右の縦枠、３は上枠、４は下枠、５は中間の無目である。
【０００４】
ところで、建築基準法によってビルの部位毎に耐火性能が規定されている。これを受けて、例えば特許文献１には、中空の柱材の内部に断熱材を充填して耐火性能を付与した嵌め殺し構造の連窓防火戸が記載されている。
カーテンウォールの場合、図３における開口部1aはガラス構造であるから耐火性能を有しないものと見なされ、腰部1bについてのみ耐火性能が要求され、階毎に開口部1aの中間に腰部1bが存在することにより上階への火炎の巻き込みを防止するという考え方がなされている。
【０００５】
図４は、従来のカーテンウォールの腰部1bにおける耐火構造の一例である隣接する２つのユニットの縦枠2a、2b付近を示す水平方向部分断面図で、図３におけるＡＡ断面に相当し、11はガラス、12は耐火ボード（腰壁材）、21は縦枠の見込み面である縦壁、24a ，24b は縦枠2a、2bの内面（ユニットの状態では外面）にある内面フランジ、25は同じく縦枠2a、2bの内面にある内面長リブ、26a 、26b は縦枠2a、2bの室内側にある室内側フランジ、６は内面長リブ25の先端に取り付けられた気密ガスケット、Ｆは縦枠2a、2bを躯体Ｂに取り付けてユニットを支持するファスナである。
【０００６】
気密ガスケット６は風雨の吹き込み等に対抗するための気密、水密性能を有してはいるが、通常、耐火仕様ではない。耐火性能を備えた耐火ガスケットもないわけではないが高価であり、かつ耐久性においても問題があるのであまり採用されない。そこでこの図４に示すように、腰部1bのユニット間に生じている隙間に対しては、内面フランジ24a ，24b 、室内側フランジ26a 、26b の二か所で、これらがそれぞれ重なり合うように配置して隙間をなくし、かつ金属板で二重に遮るようにすることによって所定の耐火構造を実現しているのである。この構造は「インターロッキング」と呼ばれる。
【０００７】
【特許文献１】
特開平９−１７７４４４号公報
【０００８】
【発明が解決しようとする課題】
ところで、図４に示したような従来のインターロッキング構造によって、建築基準法によるビルの耐火性能は一応保証されているが、内面フランジ24a ，24b 、室内側フランジ26a 、26b がそれぞれ重なり合う構造であるから、アルミニウム押し出し材としての縦枠2a、2bはそれぞれ断面形状が異なり、２種類の材料を用意しなければならない。またフランジを長く延ばすため材料の使用量もそれだけ多く、しかも耐火性能を要求されていない開口部1a（通常、腰部1bよりも開口部1aの方がはるかに長い）についても同じ材料を使用することになるので、材料費が増加し、コストアップとなるという問題点があった。
【０００９】
また、インターロッキング部分が左右方向の重なり合いであることから、ユニットの組み込み作業において新しいユニットを水平方向から吊り込まねばならないので作業がやりにくいという問題点もあった。
本発明はこのような問題点を解消し、少ない種類の材料をしかも少量使用することで所定の耐火性能を実現することを目的とする。
【００１０】
【課題を解決するための手段】
本発明は、左右一対の縦枠と、上枠と、下枠と、これらの中間に配置される無目とからなる枠体に、ガラスおよび腰壁材を嵌装してなるカーテンウォール構造において、前記左右一対の縦枠の縦壁の内面に垂直方向の複数列の係止手段を設け、この係止手段により左右一対の縦枠の縦壁間に複数枚の不燃板を挿入したことを特徴とするカーテンウォールの耐火構造であり、望ましくは前記係止手段が縦壁の内面に形成した１条ずつの内面リブであり、前記不燃板の両側面にこれをはさむ側部溝が形成されている前記のカーテンウォールの耐火構造であるか、あるいは前記係止手段が縦壁の内面に形成した１対の内面溝であり、前記不燃板が帯板状である前記のカーテンウォールの耐火構造である。
【００１１】
【発明の実施の形態】
本発明によれば、左右の縦枠の内面に係合手段を設け、縦枠間の隙間に所望の枚数の不燃板を挿入、固定するようにして、左右の縦枠の材料形状を同一とし、かつ重なり合いをなくして材料を節約することができた。また不燃板は必ずしも縦枠と同一材料である必要はないので、アルミニウム板のほか安価な鋼板、耐火合成材などを使用して一層のコストダウンを実現することができる。
【００１２】
【実施例】
本発明の実施例を図１により説明する。この図は図４と同様、隣接する２つのユニットの縦枠2a、2b付近を示す水平方向部分断面図で、各符号はこれまでのものと同じである他、22は縦枠の縦壁21の内面、ユニットでいえば外側となる面に形成された垂直方向の複数列の内面リブ、７は不燃板、71は不燃板７の両側面に形成され、前記内面リブ22をはさむ側部溝である。不燃板７はユニットの腰壁材12の高さに相当する長さの帯板で、左右の内面リブ22に係止されて縦枠2a、2bの縦壁21間をふさいでいる。
【００１３】
図１の例では内面リブ22は気密ガスケット６を取り付けている一対の内面長リブ25をはさんで室内側から見て奥と手前の両側に２列ずつ合計４列設けられ、そのうち奥の２列に不燃板が挿入されているが、手前の室内側にもなお２列の内面リブ22があり、破線で示したようにこの部分にあと２枚の不燃板を挿入することも可能である。
【００１４】
建築基準法施工令によれば、カーテンウォールが該当するとされる非耐力壁に対する耐火性能は、延焼のおそれのある部分については１時間、それ以外の部分は30分と規定されており、30分の場合は不燃板７を２枚、１時間の場合は４枚とするなど、要求に応じて枚数を変えることで対応することができる。
本発明では、耐火性能を満足するための不燃板は必要な部分、すなわちユニットの腰部1bのみに挿入し、開口部1aについては挿入しないままとするので、それだけでも大きな材料の節約になる。しかも必要な耐火性能に応じて不燃板の枚数を変えることにより無駄のない配置ができる。
【００１５】
また不燃板はユニットを吊り込み、正規の位置に納まった後から挿入することができるので、ユニットの吊り込みを正面から行うことができ、従来のインターロッキング構造に比べて施工性も向上する。
図２は本発明の変形実施例を示す図１と同じ水平方向部分断面図で、図１との相違点のみ説明すると、縦壁の内面の複数列の１条の突起である内面リブ22に代わって複数列の１対の突起、すなわち内面溝23が形成されている。したがって挿入する不燃板７には側部溝71を設ける必要がなく、単なる帯板状のものでよいから、製造が容易である。
【００１６】
以上ユニット型カーテンウォールの例で説明したが、縦横の枠材やガラス等の部材を現場に搬入し、躯体に取り付けながら組み立ててゆく「方立型」のカーテンウォールの場合においても全く同様である。
【００１７】
【発明の効果】
本発明によれば、少ない種類の材料をしかも少量使用することで作業性のよいカーテンウォールの耐火構造が実現し、ビル建築のコストダウンが達成されるというすぐれた効果を奏する。
【図面の簡単な説明】
【図１】本発明の実施例を示すカーテンウォールの水平方向部分断面図である。
【図２】本発明の変形実施例を示すカーテンウォールの水平方向部分断面図である。
【図３】本発明に係わるカーテンウォールを示す正面図である。
【図４】従来の技術を示す図３のＡＡ断面図である。
【符号の説明】
1a    開口部
1b    腰部
2a、2b    縦枠
３    上枠
４    下枠
５    無目
６    気密ガスケット
７    不燃板
11    ガラス
12    耐火ボード（腰壁材）
21    縦壁
22    内面リブ
23    内面溝
24a 、24b     内面フランジ
25    内面長リブ
26a 、26b     室内側フランジ
71    側部溝
Ｂ    躯体
Ｆ    ファスナ
Ｕ1 、Ｕ2   ユニット
【図１】
2004211310.tif 000003
【図２】
2004211310.tif 000004
【図３】
2004211310.tif 000005
【図４】
2004211310.tif 000006